(57)【特許請求の範囲】
【請求項１】
底壁12外周から嵌合筒部13を起立すると共に該筒部上端へ外向きフランジ14を付設してなる、弾性合成樹脂製中栓11を、キャップ21の内面上端部へ假止めして、容器体口頸部２外面へのキャップ第１周壁23の螺合締付けにより上記中栓の嵌合筒部13は口頸部内面へ嵌合し、かつ上記外向きフランジ下面は口頸部２の上端面へ水密に圧接して、キャップの螺脱で中栓11は口頸部に残るよう設けた中栓付きキャップ嵌合容器において、
上記キャップ内面への中栓11の假止めを、第１周壁23の上部内面へ周設した第２係合突条29上面へ、中栓外向きフランジ外周面へ付設した第１係合突条16下面を係合させて行い、又上記中栓嵌合筒部13の外面へ複数の帯状突部15をほぼ等間隔に縦設して、これ等帯状突部先端円を口頸部内径よりも大径としておき、
上記容器体口頸部外面への中栓付きキャップの螺合締付けにより嵌合筒部13が口頸部内面へ強制押込みされることで縮径して、このとき第２係合突条29内径に対して第１係合突条16先端円がほぼ同径ないし小径化可能に形成し、
第１係合突条16を外向きフランジ外周面からほぼ等間隔に複数突設すると共に、それ等第１係合突条16と上記各帯状突部15とを、中栓下方からみて同一放射線上に位置させたことを特徴とする中栓付きキャップ嵌合容器。
【請求項２】
上記嵌合筒部下半部を上方大径で下端外径を口頸部内径よりも小径のテーパ状に形成すると共に、嵌合筒部の上半部外面へ帯状突部15を縦設したことを特徴とする請求項１記載の中栓付きキャップ嵌合容器。
【請求項３】
上記キャップ頂壁の一部にノズルを付設したことを特徴とする、請求項１又は２記載の中栓付きキャップ嵌合容器。
【請求項４】
上記ノズルを、キャップ頂壁上へ基端を枢着させて起伏自在とした筒体で形成して、該ノズル34起立時にはノズル孔35と連通し、又倒伏時にはノズルの基端部下面により密閉される透孔37を頂壁に穿設したことを特徴とする請求項３記載の中栓付きキャップ嵌合容器。
【発明の詳細な説明】
【０００１】
【発明の属する技術分野】
本発明は中栓付きキャップ嵌合容器に関する。
【０００２】
【従来の技術】
容器体の口頸部内面に中栓を嵌合させ、又更に口頸部外面へキャップを螺合させるよう設けた容器にあっては、中栓螺合による口頸部の密閉と、キャップ螺合とが二度手間となることを避けるために、予めキャップ内に中栓を假止めしておき、その中栓付きキャップを容器体口頸部へ螺合させることで、同時に中栓が口頸部内へ嵌合できるようにすることが行われている。
【０００３】
【発明が解決しようとする課題】
上記のような容器にあっては、始めてキャップを螺脱する際に、中栓は口頸部に嵌合されたままで残り、キャップだけを螺脱出来る筈であるが、時には上記キャップに対する中栓の假止めが強すぎたことで、キャップ螺脱時に中栓が共に容器体口頸部内から抜出し、中栓として機能しないことがあった。
【０００４】
本発明は上記欠点を除去することを目的とする。
【０００５】
【課題を解決するための手段】
第１の手段として、底壁12外周から嵌合筒部13を起立すると共に該筒部上端へ外向きフランジ14を付設してなる、弾性合成樹脂製中栓11を、キャップ21の内面上端部へ假止めして、容器体口頸部２外面へのキャップ第１周壁23の螺合締付けにより上記中栓の嵌合筒部13は口頸部内面へ嵌合し、かつ上記外向きフランジ下面は口頸部２の上端面へ水密に圧接して、キャップの螺脱で中栓11は口頸部に残るよう設けた中栓付きキャップ嵌合容器において、
上記キャップ内面への中栓11の假止めを、第１周壁23の上部内面へ周設した第２係合突条29上面へ、中栓外向きフランジ外周面へ付設した第１係合突条16下面を係合させて行い、又上記中栓嵌合筒部13の外面へ複数の帯状突部15をほぼ等間隔に縦設して、これ等帯状突部先端円を口頸部内径よりも大径としておき、
上記容器体口頸部外面への中栓付きキャップの螺合締付けにより嵌合筒部13が口頸部内面へ強制押込みされることで縮径して、このとき第２係合突条29内径に対して第１係合突条16先端円がほぼ同径ないし小径化可能に形成し、
第１係合突条16を外向きフランジ外周面からほぼ等間隔に複数突設すると共に、それ等第１係合突条16と上記各帯状突部15とを、中栓下方からみて同一放射線上に位置させている。
【０００６】
第２の手段として、上記第１の手段を有すると共に上記嵌合筒部下半部を上方大径で下端外径を口頸部内径よりも小径のテーパ状に形成すると共に、嵌合筒部の上半部外面へ帯状突部15を縦設した。
【０００８】
第３の手段として、上記第１又は第２の手段を有すると共に、上記キャップ頂壁の一部にノズルを付設した。
【０００９】
第４の手段として、上記第３の手段を有すると共に上記ノズルを、キャップ頂壁上へ基端を枢着させて起伏自在とした筒体で形成して、該ノズル34起立時にはノズル孔35と連通し、又倒伏時にはノズルの基端部下面により密閉される透孔37を頂壁に穿設した。
【００１０】
【発明の実施の形態】
以下図面について説明すると、１は口頸部２を起立する容器体で、その口頸部外面へはキャップ螺合用雄ねじ３を付設している。容器体胴部は弾性圧搾可能であることが望ましい。
【００１１】
11は上記口頸部の上端部内へ嵌合させる中栓で、底壁12外周から嵌合筒部13を起立すると共に該嵌合筒部上端には外向きフランジ14を付設している。
【００１２】
上記嵌合筒部13の下部は、上方大外径で下端外径を口頸部２内径よりも小径のテーパ状としており、その嵌合筒部13の上部外面へは、複数の帯状突部15をほぼ等間隔に縦設している。尚嵌合筒部13上部の外径は口頸部内径よりも多少大外径に形成したものであるが、図示のように口頸部内へ強制嵌合させた状態では縮径して上記帯状突部15外面が口頸部内面へ圧接し、その帯状部分を除く嵌合筒部13外面と、口頸部内面との間には小間隙が形成されるよう設けている。又上記外向きフランジ14外周面の上部からはほぼ等間隔に第１係合突条16を突出させている。該第１係合突条16と上記帯状突部15とは図２が示すように中栓下方からみて同一放射線上に位置させることが望ましい。但し第１係合突条16は周設させてもよい。
【００１３】
該中栓は弾性を有する合成樹脂材で形成する。尚図示例にあっては底壁12側方の上面から支持杆17を起立し、該支持杆上端に公知のプルリング18を横設している。
【００１４】
21はキャップで、頂壁22外周から容器体口頸部外面へ螺合させて第１周壁23を垂設し、又頂壁外周部下面からは既述外向きフランジ14押下げ用の押下げ筒24を垂下する。
【００１５】
上記第１周壁23の上部は、上向き段部26を介して小径周壁部27に形成し、該小径周壁部下端には複数の水洗用透孔28を、該透孔の周壁内面開孔28a 位置を口頸部２の上端面とほぼ同一ないしその口頸部上端面よりも上方に位置させて穿設している。その透孔28は図示のように上向き段部26の下面外周部から上方へ縦孔部28b を穿設し、該縦孔部上部内に透孔28内端を開孔させて形成するとよい。このようにすると共に上記押下げ筒24を縦孔部28b の内方に位置させることでキャップ嵌合後に行う洗浄に際して透孔28の外面開孔から入った洗浄水を上記縦孔部によって第１周壁内下方へ導き、口頸部外面に溢れた液体等を洗浄でき、又キャップ頂壁22と中栓11との間へ洗浄水が入ることを防止することが出来る。
【００１６】
小径周壁部27下方の第１周壁部分の上部内面には図４が示すように第２係合突条29を周設している。該突条は既述第１係合突条16の下面へ係合させて中栓11を予めキャップ内へ假止めするための係合部をなすものであり、キャップ21を口頸部へ螺合させることで、中栓11の嵌合筒部13を口頸部内へ嵌合させた後に、キャップ21を螺脱すると、第２係合突条29が第１係合突条16を乗り越えてキャップだけが取り外され、中栓11は嵌合されたまま残るよう設けている。
【００１７】
上向き段部26上面の内端から該上向き段部上面を通ってその下方の第１周壁部分下方外面までへはローレット兼用の細溝30を多数穿設するとよく、このようにすることで洗浄水が上向き段部26およびその下方の第１周壁部分外面へ付着してそのまま残ることを防止することが出来る。又上向き段部上面の細溝部分は、後述のようにカバー43を嵌合させた際、その周壁下端面と上向き段部26との間に、透孔28への注水路を形成することとなる。
【００１８】
図示例にあっては頂壁22の側部から、図３が示すように上方からみて上下横棒部分を長くしたコ字形状の支持板31を起立し、かつその支持板の奥部内に基端部32を枢着33させてノズル34を倒伏させている。該ノズルはその枢着部を中心として起伏自在であり、起立時にはノズル孔35と連通し、又倒伏時にはノズル基端部の下面により密閉される透孔37を頂壁22に穿設している。尚38はノズル起伏用の把手である。
【００１９】
尚上記ノズルは、図示例のように起伏自在に設けたものに限るものではなく、頂壁に穿設した透孔周縁からノズルを起立させ、そのノズル上端を別に設けた口栓、ないし、後述の外キャップの天板下面で閉塞するようにしてもよい。又ノズルを設けなくても差支えない。
【００２０】
図示例にあっては又、頂板41外周から第２周壁42を垂下するカバー43を設けてその第２周壁下部を小周壁部27外面へ嵌合させており、小周壁部外面の上下方向中間部に第３係合突条36を周設し、該係合突条下面へ第２周壁下端内面へ周設した第４係合突条44上面を係合させている。
【００２１】
【発明の効果】
本発明は既述構成とするものであり、請求項１記載の場合は、キャップ内面への中栓11の假止めを、キャップ第１周壁23の第２係合突条29上面へ、中栓外向きフランジ外周面に付設した第１係合突条16下面を係合させて行い、又中栓の嵌合突部13の外面へ縦設した帯状突部15の先端円を口頸部内径よりも大径として、口頸部内へ中栓が嵌合するとき、上記第２係合突条29内径と第１係合突条16先端円とがほぼ同径ないし小径化するよう設けたから、キャップ螺脱時に中栓が共に抜出すことを確実に防止できる。
【００２２】
請求項２の場合は、口頸部内への中栓の嵌合を容易とすることが出来る。
【００２３】
また請求項１の場合は、中栓嵌合時に最も縮径する帯状突部を付設した嵌合筒部部分上方の外向きフランジ部分外面から第１係合突条16を突設しているから、該第１係合突条も帯状突部とほぼ同様に縮径することとなり、既述請求項１記載の効果を更に高めることが出来る。
【００２４】
請求項３および４のように形成することで容器の利便性を高めることが出来る。
【図面の簡単な説明】
【図１】  本発明容器の縦断面図である。
【図２】  図１容器に用いている中栓の底面図である。
【図３】  図１容器に用いているキャップの平面図である。
【図４】  図１容器要部の拡大断面図である。
【符号の説明】
11…中栓                        14…外向きフランジ
15…帯状突部                    16…第１係合突条
21…キャップ                    29…第２係合突条
43…カバー
【図１】
0003936120.tif 000002
【図２】
0003936120.tif 000003
【図３】
0003936120.tif 000004
【図４】
0003936120.tif 000005